(57)【要約】【課題】圧接端子の配置自由度を向上させ安価に狭ピッチ配置を可能とする。【解決手段】圧接コネクタ１は、第１及び第２の圧接端子１０，１１と、圧接コネクタハウジング１ａとから構成されている。圧接端子１０，１１は、嵌合接続部１２と、スリット部１３が形成された複数の圧接端部１４を備える圧接部１５とを備えて構成されている。第１の圧接端子１０は、例えば嵌合接続部１２が圧接部１５のスリット部１３に圧接される電線と同一線上に配置されるように形成されている。第２の圧接端子１１は、例えば嵌合接続部１２が圧接部１５のスリット部１３に圧接される電線と非同一線上に配置されるように形成されている。これにより、圧接端子１０，１１の嵌合接続部１２を所定の態様で圧接コネクタハウジング１ａに収容すると、第１の圧接端子１０の圧接部１５に対して第２の圧接端子１１の圧接部１５が、圧接される電線の芯線方向及び電線の配列方向のいずれからもオフセットされて配置される。【選択図】  図１
2004327143.tif 000002
【特許請求の範囲】
【請求項１】
ケーブルの電線と圧接される金属製の複数の圧接端子と、
これら複数の圧接端子を収容する複数の端子収容孔を有するコネクタハウジングとを備え、
前記複数の圧接端子は、
相手方接続端子と嵌合する嵌合接続部と、この嵌合接続部の基端側に形成された、前記電線が挿入されるスリット部を有する圧接部とをそれぞれ備えて構成され、
前記複数の圧接端子のうち、第１の圧接端子は、前記嵌合接続部の嵌合方向と直交する平面で見て、前記嵌合接続部が前記圧接部のスリット部に圧接される電線と同一線上に配置されるように形成され、第２の圧接端子は、前記嵌合接続部の嵌合方向と直交する平面で見て、前記嵌合接続部が前記圧接部のスリット部に圧接される電線と非同一線上に配置されるように形成され、
前記第１及び第２の圧接端子の前記嵌合接続部同士が前記電線と平行な同一線上に配置されてなる
ことを特徴とする圧接コネクタ。
【請求項２】
前記複数の圧接端子は、
相手方接続端子と嵌合する嵌合接続部と、この嵌合接続部の基端側に形成された、前記電線が挿入される対向配置された一対のスリット部を有する圧接部とをそれぞれ備えてなり、
前記第１の圧接端子は、前記嵌合接続部の嵌合方向と直交する平面で見て、前記嵌合接続部が前記圧接部の一対のスリット部の中央に配置されるように形成され、前記第２の圧接端子は、前記嵌合接続部の嵌合方向と直交する平面で見て、前記嵌合接続部が前記圧接部の一対のスリット部の中央に対し、前記スリット部を結んだ線方向及びこれと直交する方向にずれて配置されるように形成されてなる
ことを特徴とする請求項１記載の圧接コネクタ。
【請求項３】
前記ケーブルは、複数の電線を並設したフラットケーブルであることを特徴とする請求項１又は２記載の圧接コネクタ。
【請求項４】
前記圧接端子は、筒状の前記嵌合接続部を有するものであることを特徴とする請求項１〜３のいずれか１項記載の圧接コネクタ。
【請求項５】
前記圧接端子は、板状の前記嵌合接続部を有するものであることを特徴とする請求項１〜３のいずれか１項記載の圧接コネクタ。
【請求項６】
前記圧接端子の板状の嵌合接続部は、その板状部分の短手幅方向が前記電線の芯線方向と平行となるように配置されていることを特徴とする請求項５記載のコネクタ。
【請求項７】
前記コネクタハウジングの複数の端子収容孔は所定の列をなす状態で形成され、前記複数の圧接端子の嵌合接続部は前記複数の端子収容孔にそれぞれ前記所定の列をなす状態で収容され、前記第１及び第２の圧接端子はいずれか一方の圧接端子の圧接部のスリット部が形成する配列に対して他方の圧接端子の圧接部のスリット部が形成する配列がオフセットされた状態で収容されてなる
ことを特徴とする請求項１〜７のいずれか１項記載の圧接コネクタ。
【発明の詳細な説明】
【０００１】
【発明の属する技術分野】
この発明は、例えばフラットケーブルの電線に圧接される複数の圧接端子を収容するコネクタハウジングを備える圧接コネクタに関し、特に安価に複数の圧接端子の圧接部のレイアウトの自在化を促進し、狭ピッチで配置された複数の電線との圧接にも容易に対応することができる圧接コネクタに関する。
【０００２】
【従来の技術】
従来のフラットケーブル用圧接コネクタでは、例えばコネクタハウジングに収容される圧接端子の嵌合部の中心線と圧接部の中心線とを意図的にずらして形成し、コネクタハウジングに収容された嵌合部が形成する各列毎に圧接端子の配置を逆向きにしていわゆる千鳥配置を実現し、各電線のピッチが狭ピッチのフラットケーブルに対応可能とさせたものが知られている（例えば、特許文献１参照。）。
【０００３】
【特許文献１】
特開平１０−１３４８６１号公報（第３−４頁、第１−９図）
【０００４】
【発明が解決しようとする課題】
しかしながら、現在においては更に狭ピッチのフラットケーブルも製造され始めており、このようなフラットケーブルに容易に対応するための圧接コネクタの実現が切望されている。また、複雑化する回路設計に対応すべく圧接端子の配置の自由度を向上させる必要もある。
【０００５】
この発明は、このような事情に鑑みてなされたもので、安価に圧接端子の圧接部を狭ピッチ配置することができ、例えば狭ピッチのフラットケーブルの各電線との圧接を容易にすることができると共に圧接端子の配置自由度を向上させることができる圧接コネクタを提供することを目的とする。
【０００６】
【課題を解決するための手段】
この発明に係る圧接コネクタは、ケーブルの電線と圧接される金属製の複数の圧接端子と、これら複数の圧接端子を収容する複数の端子収容孔を有するコネクタハウジングとを備え、前記複数の圧接端子は、相手方接続端子と嵌合する嵌合接続部と、この嵌合接続部の基端側に形成された、前記電線が挿入されるスリット部を有する圧接部とをそれぞれ備えて構成され、前記複数の圧接端子のうち、第１の圧接端子は、前記嵌合接続部の嵌合方向と直交する平面で見て、前記嵌合接続部が前記圧接部のスリット部に圧接される電線と同一線上に配置されるように形成され、第２の圧接端子は、前記嵌合接続部の嵌合方向と直交する平面で見て、前記嵌合接続部が前記圧接部のスリット部に圧接される電線と非同一線上に配置されるように形成され、前記第１及び第２の圧接端子の前記嵌合接続部同士が前記電線と平行な同一線上に配置されてなることを特徴とする。
【０００７】
この発明によれば、圧接コネクタの圧接端子が、嵌合接続部の嵌合方向と直交する平面で見て、嵌合接続部が圧接部のスリット部に圧接される電線と同一線上に配置される第１の圧接端子と、嵌合接続部が圧接部のスリット部に圧接される電線と非同一線上に配置される第２の圧接端子とを備えて構成されているため、第１及び第２の圧接端子の嵌合接続部及び圧接部のいずれか一方同士を同一線上に配置すると、他方同士は非同一線上に配置される。このため、例えば第１及び第２の圧接端子の嵌合接続部を同一線上に配置した場合、第１の圧接端子の圧接部は嵌合接続部と同一線上に配置されるが、第２の圧接端子の圧接部はその線上からオフセットされて配置され得る。これにより、第１及び第２の圧接端子に圧接された電線の芯線方向と直交する方向の圧接部同士のピッチを従来よりも狭めることができ、狭ピッチに並設された電線にも容易に圧接することができる。
また、圧接端子の形状を第１及び第２の圧接端子毎に異ならせるだけで、大幅な改良などを必要とせずに狭ピッチの圧接を実現することができるので、圧接端子の配置自由度を向上させ安価に狭ピッチの電線への圧接を行い、対応することが可能となる。
【０００８】
なお、この圧接コネクタに適用される複数の圧接端子は、例えば相手方接続端子と嵌合する嵌合接続部と、この嵌合接続部の基端側に形成された、電線が挿入される対向配置された一対のスリット部を有する圧接部とをそれぞれ備えてなり、第１の圧接端子は、嵌合接続部の嵌合方向と直交する平面で見て、嵌合接続部が圧接部の一対のスリット部の中央に配置されるように形成され、第２の圧接端子は、嵌合接続部の嵌合方向と直交する平面で見て、嵌合接続部が圧接部の一対のスリット部の中央に対し、スリット部を結んだ線方向及びこれと直交する方向にずれて配置されるように形成されてなるものである。圧接部が一対のスリット部を有していると、圧接端子と電線とを確実に圧接することができる。
【０００９】
また、ケーブルとしては、例えば複数の電線を並設したフラットケーブルであると良い。本発明では、フラットケーブルにおいて電線が狭ピッチで並設された場合に最も有効且つ確実に圧接可能とすることを念頭に置いているからである。
【００１０】
なお、圧接端子は、例えば筒状の嵌合接続部を有するものであるか、又は板状の嵌合接続部を有するものであると良い。
【００１１】
ここで、圧接端子が板状の嵌合接続部を有する場合、例えば板状の嵌合接続部は、その板状部分の短手幅方向が電線の芯線方向と平行となるように配置されていると良い。
【００１２】
なお、例えばコネクタハウジングの複数の端子収容孔は所定の列をなす状態で形成され、複数の圧接端子の嵌合接続部は複数の端子収容孔にそれぞれ所定の列をなす状態で収容され、第１及び第２の圧接端子はいずれか一方の圧接端子の圧接部のスリット部が形成する配列に対して他方の圧接端子の圧接部のスリット部が形成する配列がオフセットされた状態で収容されてなると良い。
【００１３】
【発明の実施の形態】
以下、添付の図面を参照して、この発明の好ましい実施の形態を説明する。
図１は、この発明の一実施形態に係る圧接コネクタを示す分解斜視図である。
図１に示すように、圧接コネクタ１は、第１及び第２の圧接端子１０，１１と、これら圧接端子１０，１１を収容するための端子収容孔２が形成された樹脂成型部材等からなる圧接コネクタハウジング１ａとを備えて構成されている。第１及び第２の圧接端子１０，１１は、図２（ａ）及び（ｂ）に示すように、例えば板状の金属母材を打ち抜き／折り曲げ加工等して形成されたもので、先端側に圧接コネクタ１の圧接コネクタハウジング１ａと嵌合される他のコネクタハウジング（図示せず）に収容された他の接続端子（図示せず）と接続される板状の嵌合接続部１２と、基端側に先端がスリット部１３により二股に分岐された形状の複数の圧接端部１４とを有し、これら圧接端部１４のスリット部１３で、例えばケーブルの電線を挟み込んで圧接する圧接部１５を構成している。
【００１４】
この圧接コネクタ１に備えられる圧接端子のうち、第１の圧接端子１０は、図２（ａ）に示すように、例えば嵌合接続部１２の嵌合方向と直交する平面で見て、嵌合接続部１２が圧接部１５のスリット部１３に圧接される電線（図示せず）と同一線上に配置されるように（即ち、嵌合接続部１２の嵌合方向の中心軸Ｄ１と圧接部１５のスリット中心軸Ｄ２とが同一線Ｘ１上に配置されるように）形成されている。また、第２の圧接端子１１は、例えば嵌合接続部１２の嵌合方向と直交する平面で見て、嵌合接続部１２が圧接部１５のスリット部１３に圧接される電線（図示せず）と非同一線上に配置されるように（即ち、嵌合接続部１２の嵌合方向の中心軸Ｄ１と圧接部１５のスリット中心軸Ｄ２とが非同一線上（Ｄ１はＸ２上、Ｄ２はＸ１上）に配置されるように）形成されている。なお、この例では、第１及び第２の圧接端子１０，１１の板状の嵌合接続部１２は、その板状部分の短手幅方向が圧接部１５に圧接される電線の芯線方向（即ち、圧接部１５におけるスリット部１３同士を結んだ方向）と平行となるように配置されている。
【００１５】
一方、圧接コネクタハウジング１ａは、上記端子収容孔２と、第１及び第２の圧接端子１０，１１に圧接されるケーブルの電線を圧接コネクタハウジング１ａに対して位置決めするためのガイド突起３と、他のコネクタハウジングと嵌合される縦断面が凹状の嵌合部４（図４参照）とを備えて構成されている。圧接コネクタハウジング１ａの端子収容孔２は、この例では第１及び第２の圧接端子１０，１１の嵌合接続部１２部分を収容する形状で形成されており、第１及び第２の圧接端子１０，１１の圧接部に圧接されるケーブルの電線の芯線方向と平行となる複数の列をなすように所定の態様で形成されている。この例では、２つの端子収容孔２が構成する列と３つの端子収容孔２が構成する列とが形成されている。また、各圧接端子１０，１１の嵌合接続部１２は端子収容孔２に、例えば圧入されて収容されているため、完全収容時に少なくとも一部の嵌合接続部１２の表面と端子収容孔２の内壁面との間には隙間がない状態で収容されると共に、図４に示すように、嵌合先端部１２の先端部分が嵌合部４内に露出する状態で収容される。このため、例えば電線と圧接部１５との圧接部分を樹脂モールド等した場合において、端子収容孔２内に樹脂モールドが流れ込み、嵌合先端部１２の先端側から嵌合部４内に樹脂モールドが流出することなどにより発生する不具合等は回避することができる構造となっている。なお、図３は各圧接端子１０，１１の嵌合接続部１２が圧接コネクタハウジング１ａの端子収容孔２に完全に収容された状態を示す圧接コネクタ１の外観斜視図であり、図４は図３の状態を示す嵌合部４側から見た圧接コネクタ１の外観斜視図である。
【００１６】
図５は、この圧接コネクタ１のフラットケーブルとの圧接部分の一部透過平面図である。なお、同図において圧接コネクタハウジング１ａの図示は省略している。
このように構成された圧接コネクタ１では、例えばフラットケーブルに適用した場合、図５に示すように、第１及び第２の圧接端子１０，１１に圧接されるフラットケーブル３０の電線３１〜３４の各電線間のピッチを、従来の圧接コネクタよりも極めて小さくすることが可能となる。即ち、図５に示すような状態で第１及び第２の圧接端子１０，１１を配置した圧接コネクタハウジング１ａに、例えばフラットケーブル３０の各電線３１〜３４を圧接した場合、第１の電線３１が圧接された部分には、第１の電線３１の芯線方向に沿って第１の電線３１に圧接部１５が圧接された第１の圧接端子１０の嵌合接続部１２と、第２の電線３２に圧接部１５が圧接された第２の圧接端子１１の嵌合接続部１２とが同一線上に配置されるが、第１の圧接端子１０の圧接部１５に対して第２の圧接端子１１の圧接部１５が、フラットケーブル３０の第１の電線３１の芯線方向及び各電線３１〜３４の配列方向のいずれにもオフセットされる状態となる。このため、上記配列方向における第１の圧接端子１０の圧接部１５と第２の圧接端子１１の圧接部１５との隣接ピッチを狭めることが可能となる。同様に、第３の電線３３が圧接された部分には、第３の電線３３の芯線方向に沿って第３の電線３３に圧接部１５が圧接された第１の圧接端子１０の嵌合接続部１２と、第４の電線３４に圧接部１５が圧接された第２の圧接端子１１の嵌合接続部１２とが同一線上に配置されるが、第１の圧接端子１０の圧接部１５に対して第２の圧接端子１１の圧接部１５が、フラットケーブル３０の第３の電線３３の芯線方向及び各電線３１〜３４の配列方向のいずれにもオフセットされる状態となる。従って、結果的に第１及び第２の圧接端子１０，１１に圧接されるフラットケーブル３０の各電線３１〜３４間のピッチをより狭ピッチに構成することが可能となり、それにより、フラットケーブル３０の各電線３１〜３４間のピッチを狭くして圧接することが可能となる。
【００１７】
図６は、この発明の他の実施形態に係る圧接コネクタのフラットケーブルとの種々の圧接態様を説明するための圧接部分の一部透過平面図である。なお、以降において、既に説明した部分と重複する説明は割愛する。
図６（ａ）に示すように、この例では各圧接端子１０，１１が、３本の電線３１〜３３を備えるフラットケーブル３０と圧接されている。各圧接端子１０，１１の嵌合接続部１２は、第１及び第３の電線３１，３３の芯線方向に沿って３つずつ配置され、各電線３１〜３３の配列方向に沿って２つの列をなすように配置されている。第１の圧接端子１０の圧接部１５は、第１及び第３の電線３１，３３とそれぞれ接続され、第２の圧接端子１１の圧接部１５は、第２の電線３２とそれぞれ接続されている。この例でも、第１の圧接端子１０の圧接部１５に対して第２の圧接端子１１の圧接部１５が、フラットケーブル３０の芯線方向及び配列方向のいずれにもオフセットされる状態となるため、各電線３１〜３３の配列方向における第１の圧接端子１０の圧接部１５と第２の圧接端子１１の圧接部１５との隣接ピッチを狭めることが可能となる。
【００１８】
図６（ｂ）に示すように、この例では各圧接端子１０，１１が、４本の電線３１〜３４を備えるフラットケーブル３０と圧接されている。各圧接端子１０，１１の嵌合接続部１２は、第１及び第３の電線３１，３３の芯線方向に沿って３つずつ配置され、各電線３１〜３４の配列方向に沿って２つの列をなすように配置されている。第１の圧接端子１０の圧接部１５は、第１及び第３の電線３１，３３とそれぞれ接続され、第２の圧接端子１１の圧接部１５は、第２及び第４の電線３２，３４とそれぞれ接続されている。この例でも、第１の圧接端子１０の圧接部１５に対して第２の圧接端子１１の圧接部１５が、フラットケーブル３０の芯線方向及び配列方向のいずれにもオフセットされる状態となるため、各電線３１〜３４の配列方向における第１の圧接端子１０の圧接部１５と第２の圧接端子１１の圧接部１５との隣接ピッチを狭めることが可能となる。
【００１９】
図６（ｃ）に示すように、この例では各圧接端子１０，１１が、５本の電線３１〜３５を備えるフラットケーブル３０と圧接されている。各圧接端子１０，１１の嵌合接続部１２は、第２及び第４の電線３２，３４の芯線方向に沿って第２の電線３２では３つ、第４の電線３４では２つずつ配置され、各電線３１〜３５の配列方向に沿って２つの列をなすように配置されている。第１の圧接端子１０の圧接部１５は、第２及び第４の電線３２，３４とそれぞれ接続され、第２の圧接端子１１の圧接部１５は、第１、第３及び第５の電線３１，３３，３５とそれぞれ接続されている。この例でも、第１の圧接端子１０の圧接部１５に対して第２の圧接端子１１の圧接部１５が、フラットケーブル３０の芯線方向及び配列方向のいずれにもオフセットされる状態となるため、各電線３１〜３５の配列方向における第１の圧接端子１０の圧接部１５と第２の圧接端子１１の圧接部１５との隣接ピッチを狭めることが可能となる。
【００２０】
図６（ｄ）に示すように、この例では各圧接端子１０，１１が、５本の電線３１〜３５を備えるフラットケーブル３０と圧接されている。各圧接端子１０，１１の嵌合接続部１２は、第２及び第４の電線３２，３４の芯線方向に沿って３つずつ配置され、各電線３１〜３５の配列方向に沿って２つの列をなすように配置されている。第１の圧接端子１０の圧接部１５は、第２及び第４の電線３２，３４とそれぞれ接続され、第２の圧接端子１１の圧接部１５は、第１、第３及び第５の電線３１，３３，３５とそれぞれ接続されている。この例でも、第１の圧接端子１０の圧接部１５に対して第２の圧接端子１１の圧接部１５が、フラットケーブル３０の芯線方向及び配列方向のいずれにもオフセットされる状態となるため、上記配列方向における第１の圧接端子１０の圧接部１５と第２の圧接端子１１の圧接部１５との隣接ピッチを狭めることが可能となる。
【００２１】
なお、上述した圧接コネクタ１においては、例えばフラットケーブル３０の各電線の芯線方向に配置された各圧接端子１０，１１の圧接部１５間における電線を、切断などして電気的に遮断すれば、同一フラットケーブル３０において複数の異なる回路を構成することができるようになるため、回路設計の自由度も同時に向上させることが可能となる。
【００２２】
【発明の効果】
以上述べたように、この発明によれば、圧接コネクタの圧接端子が、嵌合接続部の嵌合方向と直交する平面で見て、嵌合接続部が圧接部のスリット部に圧接される電線と同一線上に配置される第１の圧接端子と、嵌合接続部が圧接部のスリット部に圧接される電線と非同一線上に配置される第２の圧接端子とを備えて構成されているため、第１及び第２の圧接端子の嵌合接続部及び圧接部のいずれか一方同士を同一線上に配置すると、他方同士は非同一線上に配置される。このため、例えば第１及び第２の圧接端子の嵌合接続部を同一線上に配置した場合、第１の圧接端子の圧接部は嵌合接続部と同一線上に配置されるが、第２の圧接端子の圧接部はその線上からオフセットされて配置され得る。これにより、第１及び第２の圧接端子に圧接された電線の芯線方向と直交する方向の圧接部同士のピッチを従来よりも狭めることができ、狭ピッチに並設された電線にも容易に圧接することができるという効果を奏する。
【図面の簡単な説明】
【図１】この発明の一実施形態に係る圧接コネクタを示す分解斜視図である。
【図２】同圧接コネクタに備えられる圧接端子を示す外観斜視図である。
【図３】同圧接端子が収容された圧接コネクタを示す外観斜視図である。
【図４】同圧接端子が収容された圧接コネクタを示す外観斜視図である。
【図５】同圧接コネクタのフラットケーブルとの圧接態様を説明するための圧接部分の一部透過平面図である。
【図６】この発明の他の実施形態に係る圧接コネクタのフラットケーブルとの種々の圧接態様を説明するための圧接部分の一部透過斜視図である。
【符号の説明】１…圧接コネクタ、１ａ…圧接コネクタハウジング、２…端子収容孔、３…ガイド突起、４…嵌合部、１０…第１の圧接端子、１１…第２の圧接端子、１２…嵌合接続部、１３…スリット部、１４…圧接端部、１５…圧接部、３０…フラットケーブル、３１〜３５…電線。
【図１】
2004327143.tif 000003
【図２】
2004327143.tif 000004
【図３】
2004327143.tif 000005
【図４】
2004327143.tif 000006
【図５】
2004327143.tif 000007
【図６】
2004327143.tif 000008